(57)【要約】【課題】  墓前に備える蝋燭や線香立てを収納する香炉の扉を容易に開閉することができることに加えて、扉を開閉位置において確実に固定しておくことができる墓前用香炉を提供することを目的とする。【解決手段】  内部に蝋燭及び線香等を立てるための収納部１を有し、前面側に開閉手段２によって開閉する扉３を有する箱状体の墓前用香炉であって、前記開閉手段２には、扉３を支持する回転軸２１ａ，２１ｂと、該回転軸２１ａ，２１ｂを受ける軸受２２ａ，２２ｂと、扉３の閉鎖及び開放の各位置で扉３の回転を規制するストッパー機構４を備えていることを特徴とする。【選択図】      図２
2006045819.tif 000002
【特許請求の範囲】
【請求項１】
内部に蝋燭及び線香等を立てるための収納部（１）を有し、前面側に開閉手段（２）によって開閉する扉（３）を有する箱状体の墓前用香炉であって、前記開閉手段（２）には、扉（３）を支持する回転軸（２１ａ，２１ｂ）と、該回転軸（２１ａ，２１ｂ）を受ける軸受（２２ａ，２２ｂ）と、扉（３）の閉鎖及び開放の各位置で扉（３）の回転を規制するストッパー機構（４）を備えていることを特徴とする墓前用香炉。
【請求項２】
前記ストッパー機構（４）には、回転軸（２１ｂ）の基部分に係止部（４１）が突出しており、その係止部（４１）が扉（３）の閉鎖時と開放時とにそれぞれ係止可能な窪み部（４２）を、前記軸受（２２ｂ）の受口周辺に設けてあることを特徴とする請求項１記載の墓前用香炉。
【請求項３】
前記窪み部（４２）は、係止部（４１）による係脱がスムーズになるように緩やかな斜面が形成されていることを特徴とする請求項２記載の墓前用香炉。
【発明の詳細な説明】
【技術分野】
【０００１】
本発明は、墓前に備える蝋燭及び線香を立てる屋根付きの香炉に関するものであり、さらに詳しくは、香炉の扉の開閉機構に関するものである。
【背景技術】
【０００２】
近年、墓の納骨堂５１の蓋石５２の前面側上面に備える蝋燭及び線香立ては、図９に示すように、雨や風を避けるために屋根５５付きの香炉５３内に入れられている。香炉５３は、前面側が開放するように内部に収納部（図示省略）を形成するものであり、前面側には開閉可能な扉５４，５４が備えてある。扉５４，５４の構造としては、観音開き式や左右又は上下のスライド式等があり、材質は墓石と同じ石材や軽量なプラスチック等から形成されている。
【０００３】
特に、観音開き式の場合は、たとえ墓参りを終える際に扉５４，５４を閉めたとしても、風等によって扉５４，５４が除々に開いてしまい、墓全体の見栄えが悪くなる問題があった。そこで、扉５４，５４が勝手に開くことを防止する目的で、扉５４，５４の前面側に鍵状のものを備えたり、香炉５３の屋根５５から下方に向かって突出するようにボルト等の着脱可能な係止部材５６を備えることで、墓参り以外の場合に扉５４，５４が開くことを規制していた。
【発明の開示】
【発明が解決しようとする課題】
【０００４】
しかしながら、係止部材５６によって扉５４，５４は閉めた状態に保持されるものの、係止部材５６を着脱する作業は非常に手間が掛かり面倒であると共に、墓参りにおいて蝋燭や線香に火を点ける際に、開いた扉５４，５４が風等によって開閉してしまい、火が点けづらく非常に不都合であるという問題があった。かといって扉の構造をスライド式にしたとしても、蝋燭や線香を供える際に、一旦扉を香炉から取り外さなければならず、外した扉を別の場所に置く必要があり、その作業が煩わしいという問題があった。さらに、扉の開閉構造を問わず、扉を石材から形成することにより、扉が重たくなり、女性やお年寄りといった比較的力の弱い人にとっては扉の開閉作業が非常に厄介であった。
【０００５】
そこで本発明は、上記事情に基づいてなされたものであり、墓前に備える蝋燭や線香立てを収納する香炉の扉を容易に開閉することができることに加えて、扉を開閉位置において確実に固定しておくことができる墓前用香炉を提供することを目的とする。
【課題を解決するための手段】
【０００６】
上記目的を達成するために、本発明のうち請求項１記載の発明は、内部に蝋燭及び線香等を立てるための収納部を有し、前面側に開閉手段によって開閉する扉を有する箱状体の墓前用香炉であって、前記開閉手段には、扉を支持する回転軸と、該回転軸を受ける軸受と、扉の閉鎖及び開放の各位置で扉の回転を規制するストッパー機構を備えていることを特徴とする。
【０００７】
ここで、開閉する扉に関しては、１枚の扉を左右上下のどちらか一方に開閉する構造であってもよいし、左右２枚の扉を観音開き式に開閉する構造にしてもよい。香炉の材質に関しては、墓の外観上の体裁を考慮し、墓石と同じ石材で形成するか、又は、扉のみをプラスチック等といった比較的軽量な材質を用いて形成することが望ましく、プラスチック等で形成した場合は、収納部内に収容した蝋燭及び線香等が外観から見えるように透明度を有することが望ましい。
【０００８】
ストッパー機構については、請求項２記載の発明のように、回転軸の基部分に係止部が突出しており、その係止部が扉の閉鎖時と開放時とにそれぞれ係止可能な窪み部を、前記軸受の受口周辺に設けることが望ましい。ここで、回転軸の基部分とは回転軸の上下端部のことであり、軸受内に回転軸を挿し込んだ際に、軸受の受口周辺に位置する部分のことである。係止部は、回転軸の上下両基部分に突出させてもよいし、上下基部分のどちらか一方にのみ突出させてもよく、上基部分にのみ係止部を突出させる場合は、下基部分の周辺に弾力部材を備えて、係止部に上向きの力が働くようにすることが望ましい。窪み部とは、係止部を係止可能とする形態を全て含める概念であり、例えば凹状や溝状等を挙げることができる。また、窪み部の形状に関しては、係止部と同形状にしてもよいが、請求項３記載の発明のように、窪み部には係止部による係脱がスムーズになるように緩やかな斜面が形成されていることが望ましい。
【発明の効果】
【０００９】
本発明のうち、請求項１記載の発明によれば、香炉の前面に備えた開閉する扉が、扉の閉鎖及び開放の各位置においてストッパー機構により回転が規制されて固定されることから、墓参りにおいては、お供えする蝋燭や線香に火を点ける際に、開いた扉が風や雨によって閉まろうとすることを防止し、火を点ける作業を非常に簡便に行うことが可能となる。また、墓参りを終える際には、扉を閉めるだけでその閉鎖状態を容易に保持することが可能となり、次の墓参りまでの間に、風や雨によって扉が勝手に開いてしまうことを防止し、その結果、墓の見栄えを損ねることなく、常に墓の外観を厳かな雰囲気に保つことができる。
【００１０】
本発明のうち、請求項２記載の発明によれば、窪み部において係止部を係止させることにより、扉を閉鎖及び開放の各位置において確実且つ安定に固定することができる。
【００１１】
本発明のうち、請求項３記載の発明によれば、係止部を窪み部に係脱する場合、窪み部に形成された緩やかな斜面に沿ってスムーズに行うことができ、その結果、女性やお年寄り等を問わず、誰もが小さな力で容易に扉の回転の規制及び解除を行うことが可能となる。
【発明を実施するための最良の形態】
【００１２】
以下、本発明の実施形態を図面に基づいて説明する。
【００１３】
本発明の墓前用香炉は、墓の前方に配されるものであり、図１に示すように、内部に蝋燭及び線香等を立てるための収納部１を有し、前面側に開閉手段２によって開閉する扉３，３を有する箱状体を成しており、開閉手段２には、扉３を支持する回転軸２１ａ，２１ｂと、回転軸２１ａ，２１ｂを受ける軸受２２ａ，２２ｂと、扉３の閉鎖及び開放の各位置で扉３の回転を規制するストッパー機構４を備えている。
【００１４】
香炉は、扉３，３以外を墓石と同じ石材から形成しており、周囲を両側壁５，５及び後壁６で囲んで内部に収納部１を形成するものであり、香炉の上方と下方には、それぞれ装飾を施した屋根７と台座８が設けてある。さらに香炉の前面側には開閉手段２によって観音開き式に開閉する扉３，３が取り付けてある。また、収納部１内の台座８上面には、蝋燭や線香を立てる支持具９を備えた保持台１０が載置してある。
【００１５】
観音開き式の扉３，３は、透明性を有するプラスチックから形成されており、扉３，３を開閉する際に指を入れるための穴１１が複数個形成してある。また、扉３，３の外側には、開閉手段２が取り付けてある。開閉手段２は、図２に示すように、扉３の外側の上下端部に取り付けられる回転軸２１ａ，２１ｂと、扉３に回転軸２１ａ，２１ｂを固定するための固定ピン２３と、各回転軸２１ａ，２１ｂを受ける軸受２２ａ，２２ｂと、扉３の閉鎖及び開放の各位置で扉３の回転を規制するストッパー機構４とから構成してある。回転軸２１ａ，２１ｂは、断面凸状をなしており、大径部側の端面には、扉３を取り付けるためのスリット状の溝２４を形成し、小径部側は軸部２７となっている。また、大径部の外周面には、溝２４を経て回転軸２１ａ，２１ｂの横方向に貫通する貫通穴２５を縦方向に複数個形成してある。軸受２２ａ，２２ｂは、受口側のみが開放する有底状の円筒形状をなしている。ストッパー機構４は、扉３の下端部に取り付ける回転軸２１ｂから突出する係止ピン４１と、回転軸２１ｂを受ける軸受２２ｂの受口面上に設けられ、係止ピン４１を扉３の閉鎖時と開放時とにそれぞれ係止可能とする係止溝４２と、扉３の上端部に取り付けられる回転軸２１ａを受ける軸受２２ａの内部に収納され、係止ピン４１に下向きの力を働かせるバネ４３とから構成してある。係止ピン４１は、回転軸２１ｂの外周面に形成した貫通穴２５よりも下方側の段差状になっている部分に形成した挿通穴２６に挿通するものである。挿通穴２６に係止ピン４１を挿通した場合、係止ピン４１の左右両端部が回転軸２１ｂから外側に向かって段差状になるように突出するものである（図３の斜線部）。係止溝４２の形状は、図４（ａ）（ｂ）に示すように、断面Ｖ字状をなしており、軸受２２ｂを平面視した場合、十字状になるように係止溝４２が設けてある。尚、係止溝４２のＶ字の角度は１２０°である。
【００１６】
前記のように構成された開閉手段２を用いて、扉３，３を香炉の前面側に取り付ける。まず、回転軸２１ａ，２１ｂの溝２４に扉３の外側の上下端部をそれぞれ嵌め込み、回転軸２１ａ，２１ｂに形成した貫通穴２５と、貫通穴２５に連通するように扉３に形成された取付穴１２に固定ピン２３を挿通し、扉３に回転軸２１ａ，２１ｂを固定する。この時、扉３の下端部に固定した回転軸２１ｂの挿通穴２６には係止ピン４１を挿通しておく。次に、香炉の屋根７と台座８にそれぞれ設けた嵌合穴１３，１３に嵌め込まれて固着された軸受２２ａ，２２ｂ内に受口から回転軸２１ａ，２１ｂの軸部２７，２７をそれぞれ嵌挿することで、香炉の前面側に扉３，３が取り付けられることとなる。ここで、屋根７に固定した軸受２２ａ内には、受口から回転軸２１ａを嵌挿する前にバネ４３を予め挿入しておく。
【００１７】
このように、開閉手段２を用いて香炉の前面側に扉３，３を取り付けることにより、扉３と回転軸２１ａ，２１ｂとが一体となり、回転軸２１ａ，２１ｂを中心に扉３が観音開き式に開閉可能になることに加えて、扉３の開閉に伴い、係止ピン４１の左右両端部の回転軸２１ｂから突出する部分（突出部）が、台座８に固定した軸受２２ｂの受口面上を周方向に回転し、さらに、回転途中で係止ピン４１の突出部が軸受２２ｂの受口面上に設けた係止溝４２に嵌り込む状態で引っ掛かることにより、扉３の開閉を規制することが可能となる。つまり、扉３を係止溝４２の形成位置において固定することが可能となる。また、係止溝４２の形状が断面Ｖ字状であるため、係止ピン４１の突出部を係止溝４２にスムーズに係止させることができると共に、係止ピン４１の突出部を係止溝４２から外す場合も、Ｖ字の傾斜に沿ってスムーズに抵抗なく行うことができる。特に、Ｖ字の角度を１２０°にすることにより、係止ピン４１の突出部を確実に係止させると共に、係止ピン４１を係止溝４２から外す際の抵抗を最小にすることが可能となる。さらに、屋根７に固定した軸受２２ａ内に受口からバネ４３を挿入することで、バネ４３の弾性力によって扉３に下向きの力が働き、それにより係止ピン４１の突出部を係止溝４２に確実に係止させることが可能となる。
【００１８】
次に、扉３の開閉動作を図５（ａ）（ｂ）（ｃ）に基づいて説明する。図５（ａ）は扉３を閉じた状態を示すもので、図５（ｂ）は扉３の開閉途中の状態を示すものであり、図５（ｃ）は扉３を手前側に開いた状態を示すものである。本実施形態においては、係止溝４２を十字状に設けていることから、扉３は９０°間隔で固定されることとなり、扉３を閉じた際に、左右２枚の扉３，３が水平な一直線上に配置されるように、係止溝４２の位置決めがなされている。扉３を閉じた場合は、係止ピン４１の突出部が軸受２２ｂの受口面上に縦方向に設けられた係止溝４２に嵌り込んで係止することにより、扉３を閉めた状態で確実に固定する。扉３を開いた場合は、係止ピン４１の突出部が軸受２２ｂの受口面上に横方向に設けられた係止溝４２に嵌り込んで係止することで、扉３を閉めた状態から９０°開いた位置で確実に固定する。また、係止ピン４１が係止溝４２に係止している場合は、係止溝４２の深さ分だけ扉３が全体的に下方に移動するため、バネ４３は伸びた状態になっており、それ以外の場合は、バネ４３は圧縮した状態になっている（図５（ｂ））。このバネ４３の弾性作用によって、係止ピン４１の突出部を係止溝４２に確実に係止させて、扉３を開閉位置において確実に固定する。
【００１９】
図６乃至図８は、本発明の開閉手段２の他の実施形態を示すものである。前記実施形態の開閉手段２と相違するところは、図６に示すように、扉３の下端側に設けられる回転軸２１ｂと軸受２２ｂの取り付け箇所が上下逆になっている点、即ち、扉３の外側の下端部には軸受２２ｂを取り付け、香炉の台座８の嵌合穴１３には回転軸２１ｂを嵌挿して固着している点である。回転軸２１ｂの台座８から上方に突出する部分の形状は、断面凸状をなしており、小径部側が軸部２７となっている。また、回転軸２１ｂの段差状になっている部分の外周面には係止ピン４１を挿通するための挿通穴２６が形成してある。挿通穴２６に係止ピン４１を挿通した状態を図７に示す。図中の斜線部は、係止ピン４１の回転軸２１ｂから突出する部分（突出部）を示したものである。軸受２２ｂは、図８（ａ）（ｂ）に示すように、一端面には扉３を取り付けるためのスリット状の溝２４が形成してあり、他端面には回転軸２１ｂの軸部２７を受ける凹部２８が形成してある。溝２４が形成された軸受２２ｂの外周面には、扉３を固定する固定ピン２３を横方向に貫通させるための貫通穴２５が縦方向に複数個形成してある。軸受２２ｂの受口面上には、回転軸２１ｂに挿通された係止ピン４１の突出部を、扉３の閉鎖時と開放時とにそれぞれ係止可能とする断面Ｖ字状の係止溝４２を、受口面を平面視した場合に十字状になるように設けてある。
【００２０】
このように開閉手段２を構成することにより、扉３の開閉に伴い、扉３の下端部に固定された軸受２２ｂの受口面上に設けた係止溝４２が、台座８に固定した回転軸２１ｂの端面上を周方向に回転し、さらに、回転途中で係止溝４２に回転軸２１ｂから突出する係止ピン４１の突出部が嵌り込む状態で引っ掛かることにより、前記実施形態の開閉手段２と同様に、扉３を係止溝４２の形成位置において固定し、扉３の開閉を規制することが可能となる。また、扉３の外側の下端部に軸受２２ｂを、台座８に回転軸２１ｂを固定することにより、係止溝４２に蝋燭や線香等のかすやほこり等が詰まることを防ぐことが可能となり、扉３の開閉を常に滑らかな状態にしておくことができる。
【００２１】
尚、本発明の墓前用香炉は、本実施形態のものに限定されるものではなく、軸受の受口面上に設ける係止溝は、扉を様々な角度で固定可能なように設けてもよく、係止溝の形状も半球状等にしてもよい。また、バネは必ずしも設ける必要はない。さらに、係止ピン及び係止溝の備える位置は、屋根側と台座側とで逆にしてもよいし、また、係止ピン及び係止溝を屋根側と台座側の両方に備えてもよく、本実施形態とは逆になるように、屋根側に係止ピン及び係止溝を備えた場合は、係止ピンに上向きの力を働かせて、係止溝に確実に係止させるためにも、台座側の軸受内に必ずバネを設ける必要がある。
【図面の簡単な説明】
【００２２】
【図１】本発明の墓前用香炉を示す説明図である。
【図２】開閉手段の分解した状態を示す側面図である。
【図３】突出部の突出状態を示す拡大図である。
【図４（ａ）（ｂ）】軸受を示す平面図及び側面図である。
【図５（ａ）（ｂ）（ｃ）】扉の開閉動作を説明する一部を省略した側面図である。
【図６】他の実施形態の開閉手段を示す分解側面図である。
【図７】他の実施形態の回転軸を示す側面図である。
【図８（ａ）（ｂ）】他の実施形態の軸受を示す側面図及び裏面図である。
【図９】従来の墓前用香炉を備える墓の全体図である。
【符号の説明】
【００２３】
１  収納部
２  開閉手段
３  扉
４  ストッパー機構
２１ａ  回転軸
２１ｂ  回転軸
２２ａ  軸受
２２ｂ  軸受
４１  係止ピン（係止部）
４２  係止溝（窪み部）
【図１】
2006045819.tif 000003
【図２】
2006045819.tif 000004
【図３】
2006045819.tif 000005
【図４（ａ）（ｂ）】
2006045819.tif 000006
【図５（ａ）（ｂ）（ｃ）】
2006045819.tif 000007
【図６】
2006045819.tif 000008
【図７】
2006045819.tif 000009
【図８（ａ）（ｂ）】
2006045819.tif 000010
【図９】
2006045819.tif 000011